(57)【要約】【課題】テント本体の側面に収納部を有する膨出部を形成したテントにおいて、収納部内に収納される収納物を保護すると共に人が足を差し込んでも不快にならない構造のテントを提供する。【解決手段】本発明のテントは、テント本体２の側面に収納部５を有する膨出部２Ｂを形成しており、その膨出部２Ｂの収納部５に差し込む筒状部７Ｂを設けたマット７を有していることを特徴とする。【選択図】図３
2008202342.tif 000002
【特許請求の範囲】
【請求項１】
テント本体の側面に収納部を有する膨出部を形成したテントにおいて、
前記膨出部の収納部に差し込む筒状部を設けたマットを有していることを特徴とするテント。
【請求項２】
前記マットは、屈曲して筒状にできる突片を有していることを特徴とする請求項１に記載のテント。
【請求項３】
前記マットは、筒状部を維持するための着脱自在な止着部を有していることを特徴とする請求項１又は２に記載のテント。
【請求項４】
前記マットは、筒状部の一方側の開口を覆う覆いを備えていることを特徴とする請求項１から３のいずれか１項に記載のテント。
【発明の詳細な説明】
【技術分野】
【０００１】
本発明は、収納部を備えたテントに関する。
【背景技術】
【０００２】
従来から、例えば、特許文献１や特許文献２に開示されているように、テント本体の側面に、小物などを収納できるように膨出した膨出部を形成したテントが知られている。このような構造のテントは、主に釣竿などの長尺物を収納する釣り用として用いられることがあり、釣人及び釣具が濡れないように、人が入る高さを有するスペースと、釣具を収納するのに必要なだけの膨出部からなるスペースを備えている。
【特許文献１】実開昭６３−４８８４９号
【特許文献２】登録実用新案第３０２１７７３号
【発明の開示】
【発明が解決しようとする課題】
【０００３】
しかし、上記した公知のテントは、膨出部が狭いため、膨出部内の周壁（天井や側面）が収納した釣具に触れ易く、テント内壁の結露に触れると釣具など収納物が濡れてしまうことがあった。
【０００４】
また、膨出部に足を差し込んで人が寝ることも可能であるが、膨出部に差し込んだ足に周壁が触れると足が冷え易くなり、テント内壁の結露に触れると不快であった。
【０００５】
本発明は、上記した問題に基づいてなされたものであり、テント本体の側面に収納部を有する膨出部を形成したテントにおいて、収納部内に収納される収納物を保護すると共に人が足を差し込んでも不快にならない構造のテントを提供することを目的とする。
【課題を解決するための手段】
【０００６】
上記した目的を達成するために、本発明に係るテントは、テント本体の側面に収納部を有する膨出部を形成しており、前記膨出部の収納部に差し込む筒状部を設けたマットを有していることを特徴とする。
【０００７】
上記した構造のテントは、テント本体に形成される膨出部の内側によって規定される収納部に、筒状部を設けたマットを装着することで、収納部の内壁が筒状部によって覆われるようになる。これにより、収納部の内壁が結露等しても、収納物が保護されると共に、人が足を差し込んだとしても、濡れたり冷えることも無く、更には、収納部の内壁が接触してまとわることが無くなって、不快になることがない。
【発明の効果】
【０００８】
本発明によれば、テント本体の側面に収納部を有する膨出部を形成したテントにおいて、収納部内に収納される収納物を保護すると共に、人が足を差し込んでも不快になることのない構造が得られる。
【発明を実施するための最良の形態】
【０００９】
以下、本発明に係るテントの実施形態について説明する。
【００１０】
図１から図３は、本発明に係るテントの第１の実施形態を示す図であり、図１は全体構成を示す図、図２は内部に敷設されるマットの構成を示す図、そして、図３は、使用状態を示す断面図である。
【００１１】
テント１を構成する本体２は、主部２Ａと、主部２Ａよりも低い高さで、側方に膨出するように形成される膨出部（副部）２Ｂとを備えている。
【００１２】
前記主部２Ａは、人が入れる程度の空間が形成されるように、全体として略四角錐形状を成しており、合成樹脂のシートや織布によって構成されている。また、主部２Ａの一側面には、人が出入りできるように、ファスナー等によって開閉される出入口３が形成されている。なお、主部２Ａについては、特定の形状に限定されるものではなく、その材質や大きさ、更には、収納形態や組み立て方法については適宜変形可能である。
【００１３】
前記膨出部２Ｂは、前記主部２Ａと同じ材質で一体形成されており、その内側には、前記主部２Ａの内部空間と連通する収納部５が形成されている。この収納部５には、図１に示すように、釣竿ケース５０のような長尺物や、主部２Ａ内で人５１が寝るときに、足を差し込むことが可能となっている。なお、収納部５を有する膨出部２Ｂについても、特定の形状や大きさに限定されることはなく、種々変形することが可能である。
【００１４】
上記した本体２の主部２Ａの設置面、及び膨出部２Ｂ（収納部５）の設置面には、マット７が敷設されるようになっている。本実施形態のマット７は、主部２Ａ内に敷設する平面状の第１マット７Ａと、膨出部２Ｂ内に敷設すると共に、予め巻回状態に形成された第２マット（筒状部）７Ｂとを備えて構成される。
【００１５】
前記第１マット７Ａは、例えば、発泡合成樹脂等の板材、シート材で形成され、柔軟性を有している。また、前記第２マット７Ｂは、持ち運ぶときは上下に潰して折り畳むことができるようになっている。なお、第２マットについては、平面状に形成され、巻回して筒状にし、かつ後述するような止着部によってその形状を維持するようなものであっても良い。
【００１６】
第２マット７Ｂは、膨出部２Ｂ内に設置できるように、膨出部の内面に対向する周壁８によって囲まれていると共に、一方側から足や収納物が差し込めるように開口９が形成された挿通部２Ｃを有する筒状部となっている。なお、本実施形態では、開口９は、両側に形成されているが、収納物や足等を差し込む側と反対側は、その周壁を上下に重ねて閉じた状態（つぶれた状態）になっていても良いし、図４に示すように、壁（覆い）７Ｃによって閉塞されていても良い。
【００１７】
上記したように構成されるテント１は、図３に示すように、第１マット７Ａを主部２Ａの設置面に敷設し、第２マット７Ｂを膨出部２Ｂ内に差し込むようにして設置する。これにより、人５１は、足を第２マット７Ｂの開口９（主部２Ａと膨出部２Ｂを連結する挿通部２Ｃ）から収納部内に差し込んで横になることができる。
【００１８】
前記膨出部２Ｂは、第２マット７Ｂの弾性により、その挿通部２Ｃが広がった状態となって、押し広げられる。これにより、収納部５の内壁が結露等しても、収納物が保護されると共に、図３に示すように足を差し込んだとしても、足が濡れたり冷えることも無く、更には、収納部５の内壁が足に接触してまとわり付くことが無くなって、不快になることもない。
【００１９】
なお、図４に示すように、覆い７Ｃによって、図３に示す後方側の開口９を閉塞しておくことで、より足元が暖かくなって、テント内側の結露が後方開口から足に付着することを防止できるため、少なくとも前方側（主部２Ａ側）の開口９を有していれば良い。
【００２０】
図５から図７は、本発明の第２の実施形態を示す図であり、図５は、テントの本体内に敷設されるマットの構成を示す図、図６は、マットに筒状部を形成した状態を示す図、そして、図７は、使用状態を示す断面図である。
【００２１】
この実施形態におけるマット１７は、上述した素材で一体形成されており、テントの本体２の主部２Ａに敷設されるように全体として長方形状を成した本体部１７ａと、本体部１７ａの下方領域において直交する一方向に延出するように形成され、屈曲して筒状にできる突片１７ｂを有している。すなわち、マットの素材としての柔軟性を利用して突片１７ｂを図５の矢印で示すように巻回することが可能となっており、突片１７ｂを巻回することで、図６に示すように、本体部１７ａの下方側において筒状部１７Ｂが形成される。
【００２２】
そして、前記突片１７ｂの先端部、及び本体部１７ａの対応した一側部には、筒状部１７Ｂの形状を維持するための着脱自在な止着部１８を有している。この止着部１８は、例えば、面ファスナ（雄型１８ａ、及び雌型１８ｂ）によって構成することが可能であり、両者を係合することで、図６に示すように、容易に筒状部１７Ｂを形成することが可能となる。
【００２３】
このような構成のマット１７は、上記した実施形態と同様、本体部１７ａを主部２Ａ内に敷設すると共に、筒状部１７Ｂを膨出部２Ｂ内に差し込むようにして設置すれば良い。
【００２４】
このような構成であっても、図７に示すように、筒状部１７Ｂの開口１９から挿通部１２Ｃに足を差し込んで、テント内で横になることが可能となり、上記した実施形態と同様の作用効果を得ることが可能となる。
【００２５】
図８から図１０は、本発明の第３の実施形態を示す図であり、図８は、テントの本体内に敷設されるマットの構成を示す図、図９は、マットに筒状部を形成した状態を示す図、そして、図１０は、使用状態を示す断面図である。
【００２６】
この実施形態におけるマット２７は、上述した素材で一体形成されており、テントの本体２の主部２Ａに敷設されるように全体として長方形状を成した本体部２７ａと、本体部２７ａの下方領域において直交する両方向に延出するように形成され、屈曲して筒状にできる一対の突片２７ｂを有している。さらに、本実施形態では、両側に突出する突片２７ｂの中央領域において、後方側に延出する突片２７ｂ´が形成されている。この突片２７ｂ´は、後方側の開口を閉塞する覆いとして機能する。
【００２７】
また、前記本体部２７ａには、各突片２７ｂが容易に巻回できるように、突片に沿う方向に所定長さの溝２８が形成されており、かつ両突片２７ｂには、図９に示すように形成される筒状部２７Ｂの形状を維持するために、着脱自在な止着部２９を有している。この止着部２９は、前記同様、面ファスナ（雄型２９ａ、及び雌型２９ｂ）によって構成することが可能であり、両者を係合することで、図９に示すように、容易に筒状部２７Ｂを形成することが可能となる。
【００２８】
また、前記突片２７ｂ´は、形成された筒状部２７Ｂの開口を覆うように屈曲させて、開口内に差し込むことで、その開口を不完全状態に閉塞する。もちろん、この場合、前記突片２７ｂ及び突片２７ｂ´に止着部を設けておき、突片２７ｂ´を屈曲して、開口をより確実に閉塞するようにしても良い。
【００２９】
このような構成のマット２７は、上記した実施形態と同様、本体部２７ａを主部２Ａ内に敷設すると共に、筒状部２７Ｂを膨出部２Ｂ内に差し込むようにして設置すれば良い。
【００３０】
このような構成であっても、図１０に示すように、筒状部２７Ｂの開口３０から挿通部２２Ｃに足を差し込んで、テント内で横になることが可能となり、上記した実施形態と同様の作用効果を得ることが可能となり、かつより足元が暖かくなって、テント内側の結露が後方開口から足に付着することを防止できるようになる。
【００３１】
以上、本発明の実施形態について説明したが、本発明は、上記した実施形態に限定されることはなく、種々変形することが可能である。上述したマットについては、テントの主部及び膨出部の形状に応じて適宜変形することが可能であり、その筒状部を形成するための展開状態については、上述した実施形態の形状に限定されることはない。
【図面の簡単な説明】
【００３２】
【図１】本発明の第１の実施形態を示す図であり、全体構成を示す図。
【図２】内部に敷設されるマットの構成を示す図。
【図３】使用状態を示す断面図。
【図４】マットの変形例を示す図。
【図５】本発明の第２の実施形態を示す図であり、テントの本体内に敷設されるマットの構成を示す図。
【図６】マットに筒状部を形成した状態を示す図。
【図７】使用状態を示す断面図。
【図８】本発明の第３の実施形態を示す図であり、テントの本体内に敷設されるマットの構成を示す図。
【図９】マットに筒状部を形成した状態を示す図。
【図１０】使用状態を示す断面図。
【符号の説明】
【００３３】
１  テント
２  本体
２Ａ  主部
２Ｂ  膨出部
５  収納部
７，１７，２７  マット
１７ｂ，２７ｂ，２７ｂ´  突片
７Ｂ，１７Ｂ，２７Ｂ  筒状部
【図１】
2008202342.tif 000003
【図２】
2008202342.tif 000004
【図３】
2008202342.tif 000005
【図４】
2008202342.tif 000006
【図５】
2008202342.tif 000007
【図６】
2008202342.tif 000008
【図７】
2008202342.tif 000009
【図８】
2008202342.tif 000010
【図９】
2008202342.tif 000011
【図１０】
2008202342.tif 000012